(57)【要約】【課題】折り畳み可能に連接した２つの紙片部が折り畳まれて剥離可能に貼着された隠蔽はがきにおいて、２つの紙片部に表示された情報が見にくくなりづらく、かつ、２つの紙片部が同一の形状を有するものであっても２つの紙片部を剥離した後に再度折り畳んで保管しやすくする。【解決手段】折り畳み可能に連接した２つの紙片部１０ａ，１０ｂが折り部３０を介して折り畳まれて剥離可能に貼着された隠蔽はがき１において、２つの紙片部１０ａ，１０ｂは、折り部３０に対向する辺部から、該辺部に沿う方向に対して斜めの方向に延びた切り込み１１ａ，１１ｂが、２つの紙片部１０ａ，１０ｂが折り部３０を介して折り畳まれた場合に重なり合うように形成されている。【選択図】図１
2010162835.tif 000002
【特許請求の範囲】
【請求項１】
折り畳み可能に連接した２つの紙片部が折り部を介して折り畳まれて剥離可能に貼着された隠蔽はがきにおいて、
前記２つの紙片部は、前記折り部に対向する辺部から、該辺部に沿う方向に対して斜めの方向に延びた切り込みが、当該２つの紙片部が前記折り部を介して折り畳まれた場合に重なり合うように形成されていることを特徴とする隠蔽はがき。
【請求項２】
請求項１に記載の隠蔽はがきにおいて、
前記２つの紙片部は、当該２つの紙片部を剥離する際の剥離開始端部を有し、
前記切り込みは、前記剥離開始端部から前記辺部側の一端までの距離が、前記剥離開始端部から他端までの距離よりも長い隠蔽はがき。
【請求項３】
請求項１または請求項２に記載の隠蔽はがきにおいて、
前記切り込みは、前記辺部側の一端において当該切り込みを介して分離される領域を分離可能に連接させる分離部を有する隠蔽はがき。
【発明の詳細な説明】
【技術分野】
【０００１】
本発明は、折り畳み可能に連接した２つの紙片部が折り畳まれて剥離可能に貼着された隠蔽はがきに関し、特に、剥離後に再度折り畳んで保管する際の形状保持技術に関する。
【背景技術】
【０００２】
郵便物として送付される送付体においては、その形状や重量によって料金が異なっており、一般に送付される送付体としては、第二種郵便物である通常はがきが最も安価である。ところが、この通常はがきは、定形形状の紙片の表裏のみを用いて情報を通知することになるため、送付先に多くの量の情報を通知することが困難である。
【０００３】
そこで、近年、はがきとしての定形形状を有する２つの紙片が剥離可能に貼着された隠蔽はがきが用いられている（例えば、特許文献１参照。）。このような隠蔽はがきにおいては、例えば、感圧性の接着剤を２つの紙片の一方の面に塗布しておき、この面が内側となるように２つの紙片を折り畳んで加圧することによりこれら２つの紙片を剥離可能に貼着することができる。そして、互いに剥離可能に貼着される２つの紙片がそれぞれはがきの定形形状を有するものであることから、通常はがきの料金で送付することができながらも、剥離可能に貼着された２つの紙片の表裏にそれぞれ情報を記載することができることから、通常はがきよりも多くの情報を送付先に通知することができ、また、送付途中において、２つの紙片の貼着面に表示された情報を隠蔽することができる。
【０００４】
上述したような２つの紙片が剥離可能に貼着された隠蔽はがきにおいては、はがきの送付先に届けられた後、２つの紙片が剥離されることにより、２つの紙片の貼着面に表示された情報がこの隠蔽はがきの送付先に通知されることになる。
【０００５】
図７は、２つの紙片が剥離可能に貼着された隠蔽はがきが送付先に届けられて２つの紙片が剥離された状態を示す図であり、（ａ）は２つの紙片を剥離して見開いた状態を示す図、（ｂ）は２つの紙片を再度折り畳んだ状態を示す図である。
【０００６】
図７（ａ）に示すように、２つの紙片部３１０ａ，３１０ｂが折り部３３０を介して折り畳まれ、紙片部３１０ａ，３１０ｂの互いの貼着面に塗布された感圧性接着剤３２０によって紙片部３１０ａ，３１０ｂが剥離可能に貼着された隠蔽はがき３０１は、２つの紙片部３１０ａ，３１０ｂを剥離することによって見開くことができる。
【０００７】
その後、この隠蔽はがき３０１を保管するために、２つの紙片部３１０ａ，３１０ｂを見開いた状態から折り部３３０を介して再度折り畳むと、図７（ｂ）に示すように、剥離した２つの紙片部３１０ａ，３１０ｂのうち少なくとも一方が反り返り、２つの紙片部３１０ａ，３１０ｂが互いに離反してしまう。そのため、２つの紙片部３１０ａ，３１０ｂを一度剥離した場合、２つの紙片部３１０ａ，３１０ｂを再度折り畳んで保管しにくくなってしまう。
【０００８】
ここで、互いに剥離可能に貼着される２つの紙片部の一方に、他方の紙片部の端縁を係止する押さえ爪を形成し、その押さえ爪を起こして他方の紙片部の端縁をこの押さえ爪の下部に入り込ませ、それにより、剥離した２つの紙片部が離反してしまうことを防止する技術が考えられている（例えば、特許文献２参照。）。この技術を用いれば、互いに剥離可能に貼着された２つの紙片部を剥離して見開いた後、これら２つの紙片部を再度折り畳んだ際に、２つの紙片部が離反しないようにすることができる。
【先行技術文献】
【特許文献】
【０００９】
【特許文献１】特開平４−３７５９４号公報
【特許文献２】特開平６−２３９０６３号公報
【発明の概要】
【発明が解決しようとする課題】
【００１０】
しかしながら、上述したように互いに剥離可能に貼着される２つの紙片部の一方に、他方の紙片部の端縁を係止する押さえ爪を形成し、その押さえ爪を起こして他方の紙片部の端縁をこの押さえ爪の下部に入り込ませ、それにより、剥離した２つの紙片部が離反しないようにするものにおいては、互いに剥離可能に貼着される２つの紙片部の一方の内部に、他方の紙片部の端縁がその下部に入り込むことができるような押さえ爪を形成しなければならないため、一方の紙片部の押さえ爪が形成される領域に表示される情報が見にくくなってしまうという問題点がある。また、２つの紙片部が折り畳まれて剥離可能に貼着されるものにおいては、一般に２つの紙片部が同一の形状を有するものであるが、その場合、上述したような押さえ爪を有する構成を採用することができないという問題点がある。
【００１１】
本発明は、上述したような従来の技術が有する問題点に鑑みてなされたものであって、折り畳み可能に連接した２つの紙片部が折り畳まれて剥離可能に貼着された隠蔽はがきにおいて、２つの紙片部に表示された情報が見にくくなりづらく、かつ、２つの紙片部が同一の形状を有するものであっても２つの紙片部を剥離した後に再度折り畳んで保管しやすくすることができる隠蔽はがきを提供することを目的とする。
【課題を解決するための手段】
【００１２】
上記目的を達成するために本発明は、
折り畳み可能に連接した２つの紙片部が折り部を介して折り畳まれて剥離可能に貼着された隠蔽はがきにおいて、
前記２つの紙片部は、前記折り部に対向する辺部から、該辺部に沿う方向に対して斜めの方向に延びた切り込みが、当該２つの紙片部が前記折り部を介して折り畳まれた場合に重なり合うように形成されていることを特徴とする。
【００１３】
上記のように構成された本発明においては、剥離可能に貼着された２つの紙片部を剥離して見開いた後、折り部を介して再度折り畳んで保管する場合、２つの紙片部を折り部を介して再度折り畳んだ後、２つの紙片部それぞれの切り込みを介して分離される領域のうち１つの領域を、折り部に対向する辺部に沿う方向を折り線として折り畳む。この際、２つの紙片部にそれぞれ形成された切り込みが、折り部に対向する辺部から辺部に沿う方向に対して斜めの方向に延びているので、紙片部の切り込みを介して分離される領域のうち、折り部に対向する辺部に沿う方向の長さが、切り込みの折り部に対向する辺部側の一端側よりも他端側の方が短くなる領域を上記折り線を中心として折り畳む。すると、折り線を介して折り畳まれた領域の折り部に対向する辺部に沿う方向の長さが、切り込みの折り部に対向する辺部側の一端側よりも他端側の方が短いため、折り線を介して折り畳まれた領域における切り込みの折り部に対向する辺部側の一端側が、切り込みを介して分離される領域のうち折り畳まれてない領域に係止されることになり、それにより、２つの紙片部のうち一方が反り返って２つの紙片部が離反してしまうことがなくなる。
【００１４】
また、２つの紙片部が互いに剥離する際の剥離開始端部を有する場合、剥離開始端部から切り込みの折り部に対向する辺部側の一端までの距離が、剥離開始端部から切り込みの他端までの距離よりも長ければ、２つの紙片部を剥離開始端部から剥離していくと、剥離領域がまず、切り込みの他端側となるため、切り込みによって紙片部が裂けてしまうことを回避することができる。
【００１５】
また、切り込みの折り部に対向する辺部側の一端において切り込みを介して分離される領域が分離可能に連接しているものにおいては、２つの紙片部を剥離する場合に、切り込みによって紙片部が裂けてしまうことを回避できるとともに、２つの紙片部が貼着された状態において２つの紙片部が切り込みから裂けてしまうことを回避することができる。
【発明の効果】
【００１６】
以上説明したように本発明においては、折り畳み可能に連接した２つの紙片部が折り部を介して折り畳まれて剥離可能に貼着された隠蔽はがきにおいて、２つの紙片部が、折り部に対向する辺部から、該辺部に沿う方向に対して斜めの方向に延びた切り込みが、２つの紙片部が折り部を介して折り畳まれた場合に重なり合うように形成されており、２つの紙片部を剥離して見開いた後、折り部を介して再度折り畳んで２つの紙片部を係止する構成が２つの紙片部の辺部に沿う領域に設けられているため、２つの紙片部に表示された情報が見にくくなりづらく、かつ、２つの紙片部が同一の形状を有するものであっても２つの紙片部を剥離した後に再度折り畳んで保管しやすくすることができる。
【００１７】
また、２つの紙片部が、互いに剥離する際の剥離開始端部を有し、剥離開始端部から切り込みの折り部に対向する辺部側の一端までの距離が、剥離開始端部から切り込みの他端までの距離よりも長い構成としたものにおいては、２つの紙片部を剥離開始端部から剥離する場合に、切り込みによって紙片部が裂けてしまうことを回避することができる。
【００１８】
また、切り込みが、折り部に対向する辺部側の一端において当該切り込みを介して分離される領域を分離可能に連接させる分離部を有するものにおいても、２つの紙片部を剥離する場合に、切り込みによって２つの紙片部が裂けてしまうことを回避できるとともに、２つの紙片部が貼着された状態において紙片部が切り込みから裂けてしまうことを回避することができる。
【図面の簡単な説明】
【００１９】
【図１】本発明の隠蔽はがきの第１の実施の形態を示す図であり、（ａ）は表面図、（ｂ）は（ａ）に示したＡ−Ａ’断面図、（ｃ）は２つの紙片部を見開いた状態を示す図、（ｄ）は（ａ）に示した切り込み間の距離を説明するための図である。
【図２】図１に示した隠蔽はがきの使用方法を説明するための図である。
【図３】本発明の隠蔽はがきの第２の実施の形態を示す図であり、（ａ）は表面図、（ｂ）は（ａ）に示したＡ−Ａ’断面図、（ｃ）は２つの紙片部を見開いた状態を示す図である。
【図４】図３に示した隠蔽はがきの使用方法を説明するための図である。
【図５】本発明の隠蔽はがきの第３の実施の形態を示す図であり、（ａ）は表面図、（ｂ）は（ａ）に示したＡ−Ａ’断面図、（ｃ）は２つの紙片部を見開いた状態を示す図、（ｄ）は（ａ）に示した切り込み間の距離を説明するための図である。
【図６】図５に示した隠蔽はがきの使用方法を説明するための図である。
【図７】２つの紙片が剥離可能に貼着された隠蔽はがきが送付先に届けられて２つの紙片が剥離された状態を示す図であり、（ａ）は２つの紙片を剥離して見開いた状態を示す図、（ｂ）は２つの紙片を再度折り畳んだ状態を示す図である。
【発明を実施するための形態】
【００２０】
以下に、本発明の実施の形態について図面を参照して説明する。
【００２１】
（第１の実施の形態）
図１は、本発明の隠蔽はがきの第１の実施の形態を示す図であり、（ａ）は表面図、（ｂ）は（ａ）に示したＡ−Ａ’断面図、（ｃ）は２つの紙片部１０ａ，１０ｂを見開いた状態を示す図、（ｄ）は（ａ）に示した切り込み１１ａ，１３間の距離を説明するための図である。
【００２２】
本形態は図１に示すように、外形が同一である２つの紙片部１０ａ，１０ｂが折り部３０を介して折り畳み可能に連接して構成され、紙片部１０ａ，１０ｂの一方の全面に貼着後の剥離が可能な感圧性接着剤２０が塗布されており、感圧性接着剤２０が塗布された面が内側となるように折り部３０を介して折り畳まれて使用される。
【００２３】
紙片部１０ａは、折り部３０を介して折り畳まれた場合に外側となる面に、この隠蔽はがき１の送付先の住所や氏名等からなる宛先情報１４が表示されているとともに、折り部３０を介して折り畳まれた場合に内側となる面に、この隠蔽はがき１の送付先に通知すべき通知情報１５ａが表示されている。また、紙片部１０ａには、折り部３０に対向する辺部から、この辺部に沿う方向に対して斜めの方向に延びた切り込み１１ａが形成されているとともに、貼着された２つの紙片部１０ａ，１０ｂを剥離する際に剥離開始端部となる切り込み１３が形成されている。
【００２４】
紙片部１０ｂは、折り部３０を介して折り畳まれた場合に内側となる面に、この隠蔽はがき１の送付先に通知すべき通知情報１５ｂが表示されている。また、紙片部１０ｂには、紙片部１０ａ，１０ｂが折り部３０を介して折り畳まれた場合に、紙片部１０ａに形成された切り込み１１ａと重なり合うように切り込み１１ｂが形成されている。すなわち、この切り込み１１ｂにおいても、紙片部１０ｂの、折り部３０に対向する辺部からこの辺部に沿う方向に対して斜めの方向に延びて形成されている。なお、紙片部１０ｂにおいても、紙片部１０ａの切り込み１３に対向する領域が、紙片部１０ａ，１０ｂを剥離する際の剥離開始端部となる。
【００２５】
紙片部１０ａ，１０ｂにそれぞれ形成された切り込み１１ａ，１１ｂは、上述したように、紙片部１０ａ，１０ｂの折り部３０に対向する辺部からこの辺部に沿う方向に対して斜めの方向に延びて形成されているが、図１（ｄ）に示すように、剥離開始端部となる切り込み１３から折り部３０に対向する辺部側の一端までの距離ｌ1が、切り込み１３から他端までの距離ｌ2よりも長くなるような角度で形成されている。
【００２６】
以下に、上記のように構成された隠蔽はがき１の使用方法について説明する。
【００２７】
図２は、図１に示した隠蔽はがき１の使用方法を説明するための図である。
【００２８】
図１に示した隠蔽はがき１は、図１（ａ），（ｂ）に示したように、２つの紙片部１０ａ，１０ｂが折り部３０を介して折り畳まれ、感圧性接着剤２０によって剥離可能に貼着された状態で、紙片部１０ａに表示された宛先情報１４に従って送付先に送付される。
【００２９】
隠蔽はがき１が送付先に送付された後、紙片部１０ａ，１０ｂに表示された通知情報１５ａ，１５ｂを見るために、切り込み１３を剥離開始端部として紙片部１０ｂから紙片部１０ａを剥離していく。すると、２つの紙片部１０ａ，１０ｂの剥離領域が、切り込み１１ａ，１１ｂが形成された領域に達するが、図１（ｄ）に示したように、切り込み１１ａ，１１ｂが、切り込み１３から折り部３０に対向する辺部側の一端までの距離ｌ1が、切り込み１３から他端までの距離ｌ2よりも長くなるような角度で形成されているため、図２（ａ）に示すように、２つの紙片部１０ａ，１０ｂの剥離領域が、まず、切り込み１１ａ，１１ｂの折り部３０に対向する辺部側とは反対側の端部に達し、その後、切り込み１１ａ，１１ｂの他の領域が剥離されていくことになる。これにより、紙片部１０ｂから紙片部１０ａを剥離する際に、紙片部１０ａの切り込み１１ａを介して分離された２つの領域のうち一方が紙片部１０ａとともに捲れ上がり、他方が紙片部１０ｂに貼着されたままとなって紙片部１０ａが裂けてしまうことを回避することができる。
【００３０】
２つの紙片部１０ａ，１０ｂを剥離して完全に見開くと、図２（ｂ）に示すように、紙片部１０ａ，１０ｂにそれぞれ表示された通知情報１５ａ，１５ｂが視認可能な状態となり、それにより、この隠蔽はがき１の送付先に通知情報１５ａ，１５ｂが通知されることになる。
【００３１】
その後、この隠蔽はがき１を折り畳んで保管する場合は、まず、図２（ｃ）に示すように、２つの紙片部１０ａ，１０ｂを折り部３０を介して折り畳む。しかし、この状態では、紙片部１０ａ，１０ｂのうち少なくとも一方が反り返ってしまい、２つの紙片部１０ａ，１０ｂが互いに離反してしまう。
【００３２】
そこで、図２（ｄ）に示すように、２つの紙片部１０ａ，１０ｂを折り部３０を介して折り畳んだ状態において、紙片部１０ａ，１０ｂの切り込み１１ａ，１１ｂを介して分離される２つの領域のうち、その２つの領域それぞれにおける折り部３０に対向する辺部に沿う方向の長さが、切り込み１１ａ，１１ｂの折り部３０に対向する辺部側の一端側よりも他端側の方が短くなる領域を折り畳む。本形態においては、紙片部１０ａ，１０ｂの切り込み１１ａ，１１ｂを介して分離される２つの領域をそれぞれ図１中上部、下部とすると、上部の領域における折り部３０に対向する辺部に沿う方向の長さが、切り込み１１ａ，１１ｂの折り部３０に対向する辺部側の一端側よりも他端側の方が長く、下部の領域における折り部３０に対向する辺部に沿う方向の長さが、切り込み１１ａ，１１ｂの折り部３０に対向する辺部側の一端側よりも他端側の方が短いため、下部の領域を折り領域１８とし、切り込み１１ａ，１１ｂの他端から折り部３０に対向する辺部に沿う方向を折り線として折り畳む。
【００３３】
すると、折り畳まれた折り領域１８の、折り部３０に対向する辺部に沿う方向の長さが、切り込み１１ａ，１１ｂの折り部３０に対向する辺部側の一端側よりも他端側の方が短いため、図２（ｅ），（ｆ）に示すように、折り領域１８の切り込み１１ａ，１１ｂ側の一部が、切り込み１１ａ，１１ｂを介して分離される２つの領域のうち折り畳まれてない領域、すなわち折り領域１８ではない領域の下部に入り込むような状態となる。
【００３４】
そのため、この状態にて紙片部１０ａ，１０ｂが離反しようとすると、図２（ｇ）に示すように、折り領域１８の、切り込み１１ａ，１１ｂを介して分離される２つの領域のうち折り畳まれてない領域の下部に入り込んだ部分が、その折り畳まれてない領域に当接して係止され、それにより、紙片部１０ａが反り返って２つの紙片部１０ａ，１０ｂが離反してしまうことがなくなり、２つの紙片部１０ａ，１０ｂを折り部３０を介して折り畳んだ状態で保管することができる。
【００３５】
（第２の実施の形態）
図３は、本発明の隠蔽はがきの第２の実施の形態を示す図であり、（ａ）は表面図、（ｂ）は（ａ）に示したＡ−Ａ’断面図、（ｃ）は２つの紙片部１１０ａ，１１０ｂを見開いた状態を示す図である。
【００３６】
本形態は図３に示すように、外形が同一である２つの紙片部１１０ａ，１１０ｂが折り部１３０を介して折り畳み可能に連接して構成され、紙片部１１０ａ，１１０ｂの一方の全面に貼着後の剥離が可能な感圧性接着剤１２０が塗布されており、感圧性接着剤１２０が塗布された面が内側となるように折り部１３０を介して折り畳まれて使用される。
【００３７】
紙片部１１０ａは、折り部１３０を介して折り畳まれた場合に外側となる面に、この隠蔽はがき１０１の送付先の住所や氏名等からなる宛先情報１１４が表示されているとともに、折り部１３０を介して折り畳まれた場合に内側となる面に、この隠蔽はがき１０１の送付先に通知すべき通知情報１１５ａが表示されている。また、紙片部１１０ａには、折り部１３０に対向する辺部から、この辺部に沿う方向に対して互いに異なる斜めの方向に延びた２本の切り込み１１１ａ，１１２ａが形成されているとともに、貼着された２つの紙片部１１０ａ，１１０ｂを剥離する際に剥離開始端部となる切り込み１１３が形成されている。また、紙片部１１０ａは、２本の切り込み１１１ａ，１１２ａによって、折り部１３０に対向する辺部近傍の領域が３つの領域に分離されているが、切り込み１１１ａ，１１２ａの折り部１３０に対向する辺部側には分離部となるタイ部１１６ａ，１１７ａが設けられており、それにより、切り込み１１１ａ，１１２ａによって分離される３つの領域は分離可能に連接している。なお、紙片部１１０ａに形成された２本の切り込み１１１ａ，１１２ａは、上述したように折り部１３０に対向する辺部から互いに異なる方向に向かって延びているが、折り部１３０側を上側として見た場合、“ハ”の字を形成する向きに形成されている。
【００３８】
紙片部１１０ｂは、折り部１３０を介して折り畳まれた場合に内側となる面に、この隠蔽はがき１０１の送付先に通知すべき通知情報１１５ｂが表示されている。また、紙片部１１０ｂには、紙片部１１０ａ，１１０ｂが折り部１３０を介して折り畳まれた場合に、紙片部１１０ａに形成された切り込み１１１ａ，１１２ａと重なり合うようにそれぞれ切り込み１１１ｂ，１１２ｂが形成されている。すなわち、この切り込み１１１ｂ，１１２ｂにおいても、紙片部１１０ｂの折り部１３０に対向する辺部からこの辺部に沿う方向に対して互いに異なる斜めの方向に延びて形成されており、折り部１３０側を上側として見た場合、“ハ”の字を形成する向きとなっている。また、紙片部１１０ａと同様に、切り込み１１１ｂ，１１２ｂの紙片部１１０ｂの折り部１３０に対向する辺部に分離部となるタイ部１１６ｂ，１１７ｂが設けられており、それにより、切り込み１１１ｂ，１１２ｂによって分離される３つの領域が分離可能に連接している。なお、紙片部１１０ｂにおいても、紙片部１１０ａの切り込み１１３に対向する領域が、紙片部１１０ａ，１１０ｂを剥離する際の剥離開始端部となる。
【００３９】
以下に、上記のように構成された隠蔽はがき１０１の使用方法について説明する。
【００４０】
図４は、図３に示した隠蔽はがき１０１の使用方法を説明するための図である。
【００４１】
図３に示した隠蔽はがき１０１は、図３（ａ），（ｂ）に示したように、２つの紙片部１１０ａ，１１０ｂが折り部１３０を介して折り畳まれ、感圧性接着剤１２０によって剥離可能に貼着された状態で、紙片部１１０ａに表示された宛先情報１１４に従って送付先に送付される。この際、紙片部１１０ａ，１１０ｂにはそれぞれ、切り込み１１１ａ，１１１ｂ，１１２ａ，１１２ｂが形成されているが、この切り込み１１１ａ，１１１ｂ，１１２ａ，１１２ｂの紙片部１１０ａ，１１０ｂの折り部１３０に対向する辺部にそれぞれタイ部１１６ａ，１１６ｂ，１１７ａ，１１７ｂが設けられているため、２つの紙片部１１０ａ，１１０ｂが折り畳まれて剥離可能に貼着された状態において、紙片部１１０ａ，１１０ｂが切り込み１１１ａ，１１１ｂ，１１２ａ，１１２ｂから裂けてしまうことが回避される。
【００４２】
隠蔽はがき１０１が送付先に送付された後、紙片部１１０ａ，１１０ｂに表示された通知情報１１５ａ，１１５ｂを見るために、切り込み１１３を剥離開始端部として紙片部１１０ｂから紙片部１１０ａを剥離していく。すると、２つの紙片部１１０ａ，１１０ｂの剥離領域が、切り込み１１１ａ，１１１ｂが形成された領域に達する。切り込み１１１ａ，１１１ｂ，１１２ａ，１１２ｂは、折り部１３０側を上側として見た場合に“ハ”の字を形成する向きとなっているため、切り込み１１３を剥離開始端部として紙片部１１０ｂから紙片部１１０ａを剥離していくと、２つの紙片部１１０ａ，１１０ｂの剥離領域が、まず、切り込み１１１ａ，１１１ｂのうち、紙片部１１０ａ，１１０ｂの折り部１３０に対向する辺部側の端部に達する。この領域においては、タイ部１１６ａ，１１６ｂが形成されているため、図４（ａ）に示すように、紙片部１１０ｂから紙片部１１０ａを剥離する際に、紙片部１１０ａの切り込み１１１ａを介して分離された２つの領域のうち一方が紙片部１１０ａとともに捲れ上がり、他方が紙片部１１０ｂに貼着されたままとなって紙片部１１０ａが裂けてしまうことを回避することができる。
【００４３】
２つの紙片部１１０ａ，１１０ｂをさらに剥離していくと、紙片部１１０ａ，１１０ｂの剥離領域が、切り込み１１２ａ，１１２ｂが形成された領域に達する。切り込み１１１ａ，１１１ｂ，１１２ａ，１１２ｂは、折り部１３０側を上側として見た場合に“ハ”の字を形成する向きとなっているため、紙片部１１０ａ，１１０ｂの剥離領域は、まず、切り込み１１２ａ，１１２ｂの折り部１３０に対向する辺部側とは反対側の端部に達し、その後、切り込み１１２ａ，１１２ｂの他の領域が剥離されていくことになる。これにより、紙片部１１０ａの切り込み１１２ａを介して分離された２つの領域のうち一方が紙片部１１０ａとともに捲れ上がり、他方が紙片部１１０ｂに貼着されたままとなって紙片部１１０ａが裂けてしまうことを回避することができる。
【００４４】
２つの紙片部１１０ａ，１１０ｂを剥離して完全に見開くと、図４（ｂ）に示すように、紙片部１１０ａ，１１０ｂにそれぞれ表示された通知情報１１５ａ，１１５ｂが視認可能な状態となり、それにより、この隠蔽はがき１０１の送付先に通知情報１１５ａ，１１５ｂが通知されることになる。
【００４５】
その後、この隠蔽はがき１０１を折り畳んで保管する場合は、まず、図４（ｃ）に示すように、２つの紙片部１１０ａ，１１０ｂを折り部１３０を介して折り畳む。しかし、この状態では、紙片部１１０ａ，１１０ｂのうち少なくとも一方が反り返ってしまい、２つの紙片部１１０ａ，１１０ｂ互いに離反してしまう。
【００４６】
そこで、図４（ｄ）に示すように、２つの紙片部１１０ａ，１１０ｂを折り部１３０を介して折り畳んだ状態において、タイ部１１６ａ，１１６ｂ，１１７ａ，１１７ｂを破断し、紙片部１１０ａ，１１０ｂの切り込み１１１ａ，１１１ｂ，１１２ａ，１１２ｂを介して分離される３つの領域のうち、その３つの領域それぞれにおける折り部１３０に対向する辺部に沿う方向の長さが、切り込み１１１ａ，１１１ｂ，１１２ａ，１１２ｂの折り部１３０に対向する辺部側の一端側よりも他端側の方が短くなる領域を折り畳む。本形態においては、紙片部１１０ａ，１１０ｂの切り込み１１１ａ，１１１ｂ，１１２ａ，１１２ｂを介して分離される３つの領域をそれぞれ図３中上部、中部、下部とすると、上部及び下部の領域における折り部１３０に対向する辺部に沿う方向の長さが、切り込み１１１ａ，１１１ｂ，１１２ａ，１１２ｂの折り部１３０に対向する辺部側の一端側よりも他端側の方が長く、中部の領域における折り部１３０に対向する辺部に沿う方向の長さが、切り込み１１１ａ，１１１ｂ，１１２ａ，１１２ｂの折り部１３０に対向する辺部側の一端側よりも他端側の方が短いため、中部の領域を折り領域１１８とし、切り込み１１１ａ，１１１ｂ，１１２ａ，１１２ｂの他端から折り部１３０に対向する辺部に沿う方向を折り線として折り畳む。
【００４７】
すると、折り畳まれた折り領域１１８の、折り部１３０に対向する辺部に沿う方向の長さが、切り込み１１１ａ，１１１ｂ，１１２ａ，１１２ｂの折り部１３０に対向する辺部側の一端側よりも他端側の方が短いため、図４（ｅ），（ｆ）に示すように、折り領域１１８の切り込み１１１ａ，１１１ｂ，１１２ａ，１１２ｂ側の一部が、切り込み１１１ａ，１１１ｂ，１１２ａ，１１２ｂを介して分離される３つの領域のうち折り畳まれてない２つの領域、すなわち折り領域１１８ではない領域の下部に入り込むような状態となる。
【００４８】
そのため、この状態にて紙片部１１０ａ，１１０ｂが離反しようとすると、図４（ｇ）に示すように、折り領域１１８の、切り込み１１１ａ，１１１ｂ，１１２ａ，１１２ｂを介して分離される３つの領域のうち折り畳まれてない領域の下部に入り込んだ部分が、その折り畳まれてない領域に当接して係止され、それにより、紙片部１１０ａが反り返って２つの紙片部１１０ａ，１１０ｂが離反してしまうことがなくなり、２つの紙片部１１０ａ，１１０ｂを折り部１３０を介して折り畳んだ状態で保管することができる。
【００４９】
なお、本形態においては、切り込み１１１ａ，１１１ｂ，１１２ａ，１１２ｂの折り部１３０に対向する辺部側にはタイ部１１６ａ，１１６ｂ，１１７ａ，１１７ｂが設けられており、それにより、切り込み１１１ａ，１１１ｂ，１１２ａ，１１２ｂによって分離される３つの領域が分離可能に連接しているが、タイ部の代わりに、切り込み１１１ａ，１１１ｂ，１１２ａ，１１２ｂをミシン目によって構成することも考えられる。
【００５０】
（第３の実施の形態）
図５は、本発明の隠蔽はがきの第３の実施の形態を示す図であり、（ａ）は表面図、（ｂ）は（ａ）に示したＡ−Ａ’断面図、（ｃ）は２つの紙片部２１０ａ，２１０ｂを見開いた状態を示す図、（ｄ）は（ａ）に示した切り込み２１１ａ，２１３間の距離を説明するための図である。
【００５１】
本形態は図５に示すように、外形が同一である２つの紙片部２１０ａ，２１０ｂが折り部２３０を介して折り畳み可能に連接して構成され、紙片部２１０ａ，２１０ｂの一方の全面に貼着後の剥離が可能な感圧性接着剤２２０が塗布されており、感圧性接着剤２２０が塗布された面が内側となるように折り部２３０を介して折り畳まれて使用される。
【００５２】
紙片部２１０ａは、折り部２３０を介して折り畳まれた場合に外側となる面に、この隠蔽はがき２０１の送付先の住所や氏名等からなる宛先情報２１４が表示されているとともに、折り部２３０を介して折り畳まれた場合に内側となる面に、この隠蔽はがき２０１の送付先に通知すべき通知情報２１５ａが表示されている。また、紙片部２１０ａには、折り部２３０に対向する辺部から、この辺部に沿う方向に対して互いに異なる斜めの方向に延びた２本の切り込み２１１ａ，２１２ａが形成されているとともに、貼着された２つの紙片部２１０ａ，２１０ｂを剥離する際に剥離開始端部となる切り込み２１３が形成されている。なお、紙片部２１０ａに形成された２本の切り込み２１１ａ，２１２ａは、上述したように折り部２３０に対向する辺部から互いに異なる方向に向かって延びているが、折り部２３０側を上側として見た場合、逆“ハ”の字を形成する向きに形成されている。
【００５３】
紙片部２１０ｂは、折り部２３０を介して折り畳まれた場合に内側となる面に、この隠蔽はがき２０１の送付先に通知すべき通知情報２１５ｂが表示されている。また、紙片部２１０ｂには、紙片部２１０ａ，２１０ｂが折り部２３０を介して折り畳まれた場合に、紙片部２１０ａに形成された切り込み２１１ａ，２１２ａと重なり合うようにそれぞれ切り込み２１１ｂ，２１２ｂが形成されている。すなわち、この切り込み２１１ｂ，２１２ｂにおいても、紙片部２１０ｂの折り部２３０に対向する辺部からこの辺部に沿う方向に対して互いに異なる斜めの方向に延びて形成されており、折り部２３０側を上側として見た場合、逆“ハ”の字を形成する向きとなっている。なお、紙片部２１０ｂにおいても、紙片部２１０ａの切り込み２１３に対向する領域が、紙片部２１０ａ，２１０ｂを剥離する際の剥離開始端部となる。
【００５４】
紙片部２１０ａ，２１０ｂにそれぞれ形成された切り込み２１１ａ，２１１ｂは、上述したように、紙片部２１０ａ，２１０ｂの折り部２３０に対向する辺部からこの辺部に沿う方向に対して斜めの方向に延びて形成されているが、図５（ｄ）に示すように、剥離開始端部となる切り込み２１３から折り部２３０に対向する辺部側の一端までの距離ｌ1が、切り込み２１３から他端までの距離ｌ2よりも長くなるような角度で形成されている。
【００５５】
以下に、上記のように構成された隠蔽はがき２０１の使用方法について説明する。
【００５６】
図６は、図５に示した隠蔽はがき２０１の使用方法を説明するための図である。
【００５７】
図５に示した隠蔽はがき２０１は、図５（ａ），（ｂ）に示したように、２つの紙片部２１０ａ，２１０ｂが折り部２３０を介して折り畳まれ、感圧性接着剤２２０によって剥離可能に貼着された状態で、紙片部２１０ａに表示された宛先情報２１４に従って送付先に送付される。
【００５８】
隠蔽はがき２０１が送付先に送付された後、紙片部２１０ａ，２１０ｂに表示された通知情報２１５ａ，２１５ｂを見るために、切り込み２１３を剥離開始端部として紙片部２１０ｂから紙片部２１０ａを剥離していく。すると、２つの紙片部２１０ａ，２１０ｂの剥離領域が、切り込み２１１ａ，２１１ｂが形成された領域に達するが、図５（ｄ）に示したように、切り込み２１１ａ，２１１ｂが、切り込み２１３から折り部２３０に対向する辺部側の一端までの距離ｌ1が、切り込み２１３から他端までの距離ｌ2よりも長くなるような角度で形成されているため、図６（ａ）に示すように、２つの紙片部２１０ａ，２１０ｂの剥離領域が、まず、切り込み２１１ａ，２１１ｂの折り部２３０に対向する辺部側とは反対側の端部に達し、その後、切り込み２１１ａ，２１１ｂの他の領域が剥離されていくことになる。これにより、紙片部２１０ｂから紙片部２１０ａを剥離する際に、紙片部２１０ａの切り込み２１１ａを介して分離された２つの領域のうち一方が紙片部２１０ａとともに捲れ上がり、他方が紙片部２１０ｂに貼着されたままとなって紙片部２１０ａが裂けてしまうことを回避することができる。
【００５９】
２つの紙片部２１０ａ，２１０ｂを剥離して完全に見開くと、図６（ｂ）に示すように、紙片部２１０ａ，２１０ｂにそれぞれ表示された通知情報２１５ａ，２１５ｂが視認可能な状態となり、それにより、この隠蔽はがき２０１の送付先に通知情報２１５ａ，２１５ｂが通知されることになる。なお、紙片部２１０ａ，２１０ｂの剥離領域が、切り込み２１２ａ，２１２ｂが形成された領域に達した際、このまま紙片部２１０ａを紙片部２１０ｂから剥離すると、切り込み２１２ａ，２１２ｂにおいては、上述したような切り込み２１１ａ，２１１ｂの角度と同様の条件を満たしていないため、紙片部２１０ａの切り込み２１２ａを介して分離された２つの領域のうち一方が紙片部２１０ａとともに捲れ上がり、他方が紙片部２１０ｂに貼着されたままとなって紙片部２１０ａが裂けてしまう虞れがある。そこで、例えば、紙片部２１０ａ，２１０ｂを互いに剥離可能に貼着する感圧性接着剤２２０を、紙片部２１０ａの切り込み２１２ａを介して分離された２つの領域のうち折り部２３０に対向する辺部側となる領域に塗布しない構成とすることにより、切り込み２１２ａ，２１２ｂが形成された領域において紙片部２１０ａが裂けてしまうことを回避することができる。  その後、この隠蔽はがき２０１を折り畳んで保管する場合は、まず、図６（ｃ）に示すように、２つの紙片部２１０ａ，２１０ｂを折り部２３０を介して折り畳む。しかし、この状態では、紙片部２１０ａ，２１０ｂのうち少なくとも一方が反り返ってしまい、２つの紙片部２１０ａ，２１０ｂが互いに離反してしまう。
【００６０】
そこで、図６（ｄ）に示すように、２つの紙片部２１０ａ，２１０ｂを折り部２３０を介して折り畳んだ状態において、紙片部２１０ａ，２１０ｂの切り込み２１１ａ，２１１ｂ，２１２ａ，２１２ｂを介して分離される３つの領域のうち、その３つの領域それぞれにおける折り部２３０に対向する辺部に沿う方向の長さが、切り込み２１１ａ，２１１ｂ，２１２ａ，２１２ｂの折り部２３０に対向する辺部側の一端側よりも他端側の方が短くなる領域を折り畳む。本形態においては、紙片部２１０ａ，２１０ｂの切り込み２１１ａ，２１１ｂ，２１２ａ，２１２ｂを介して分離される３つの領域をそれぞれ図５中上部、中部、下部とすると、中部の領域における折り部２３０に対向する辺部に沿う方向の長さが、切り込み２１１ａ，２１１ｂ，２１２ａ，２１２ｂの折り部２３０に対向する辺部側の一端側よりも他端側の方が長く、上部及び下部の領域における折り部２３０に対向する辺部に沿う方向の長さが、切り込み２１１ａ，２１１ｂ，２１２ａ，２１２ｂの折り部２３０に対向する辺部側の一端側よりも他端側の方が短いため、上部及び下部の領域をそれぞれ折り領域２１８とし、切り込み２１１ａ，２１１ｂ，２１２ａ，２１２ｂの他端から折り部２３０に対向する辺部に沿う方向を折り線として折り畳む。
【００６１】
すると、折り畳まれた折り領域２１８の、折り部２３０に対向する辺部に沿う方向の長さが、切り込み２１１ａ，２１１ｂ，２１２ａ，２１２ｂの折り部２３０に対向する辺部側の一端側よりも他端側の方が短いため、図６（ｅ），（ｆ）に示すように、折り領域２１８の切り込み２１１ａ，２１１ｂ，２１２ａ，２１２ｂ側の一部が、その折り畳まれてない２つの領域、すなわち折り領域２１８ではない領域の下部に入り込むような状態となる。
【００６２】
そのため、この状態にて紙片部２１０ａ，２１０ｂが離反しようとすると、図６（ｇ）に示すように、折り領域２１８の、切り込み２１１ａ，２１１ｂ，２１２ａ，２１２ｂを介して分離される３つの領域のうち折り畳まれてない領域の下部に入り込んだ部分が、切り込み２１１ａ，２１１ｂ，２１２ａ，２１２ｂを介して分離される３つの領域のうち折り畳まれてない領域に当接して係止され、それにより、紙片部２１０ａが反り返ることにより２つの紙片部２１０ａ，２１０ｂが離反してしまうことがなくなり、２つの紙片部２１０ａ，２１０ｂを折り部２３０を介して折り畳んだ状態で保管することができる。
【００６３】
なお、本形態にて示した隠蔽はがき２０１においても、切り込み２１１ａ，２１１ｂ，２１２ａ，２１２ｂの折り部２３０に対向する辺部側にタイ部を設けておくことも考えられる。
【００６４】
このように、上述した３つの実施の形態においては、２つの紙片部１０ａ，１０ｂ，１１０ａ，１１０ｂ，２１０ａ，２１０ｂを剥離して見開いた後、折り部３０，１３０，２３０を介して再度折り畳んで２つの紙片部１０ａ，１０ｂ，１１０ａ，１１０ｂ，２１０ａ，２１０ｂを係止する構成が２つの紙片部１０ａ，１０ｂ，１１０ａ，１１０ｂ，２１０ａ，２１０ｂの辺部から延びた切り込み１１ａ，１１ｂ，１１１ａ，１１１ｂ，１１２ａ，１１２ｂ，２１１ａ，２１１ｂ，２１２ａ，２１２ｂとなっているため、その構成が紙片部１０ａ，１０ｂ，１１０ａ，１１０ｂ，２１０ａ，２１０ｂの周囲に設けられていることとなり、それにより、２つの紙片部１０ａ，１０ｂ，１１０ａ，１１０ｂ，２１０ａ，２１０ｂに表示された情報が見にくくなりづらく、かつ、２つの紙片部１０ａ，１０ｂ，１１０ａ，１１０ｂ，２１０ａ，２１０ｂが同一の形状を有するものであっても２つの紙片部１０ａ，１０ｂ，１１０ａ，１１０ｂ，２１０ａ，２１０ｂを剥離した後に再度折り畳んで保管しやすくすることができる。なお、第２の実施の形態に示したものにおいては、切り込み１１１ａ，１１１ｂ，１１２ａ，１１２ｂの折り部１３０に対向する辺部側にタイ部１１６ａ，１１６ｂ，１１７ａ，１１７ｂが設けられているが、この場合においても、上述したように、切り込み１１１ａ，１１１ｂ，１１２ａ，１１２ｂが、２つの紙片部１１０ａ，１１０ｂの辺部から延びたものと定義する。
【００６５】
なお、上述した３つの実施の形態においては、２つの紙片部１０ａ，１０ｂ，１１０ａ，１１０ｂ，２１０ａ，２１０ｂを剥離可能に貼着する構成として感圧性接着剤２０，１２０，２２０を用いたものを例に挙げて説明したが、２つの紙片部１０ａ，１０ｂ，１１０ａ，１１０ｂ，２１０ａ，２１０ｂを剥離可能に貼着する構成はこれに限らず、その他に、例えば、擬似接着フィルムを用いたものやニスを塗布したもの等が考えられる。
【００６６】
また、上述した３つの実施の形態においては、２つの紙片部１０ａ，１０ｂ，１１０ａ，１１０ｂ，２１０ａ，２１０ｂが折り部３０，１３０，２３０を介して折り畳み可能に連接し、これら２つの紙片部１０ａ，１０ｂ，１１０ａ，１１０ｂ，２１０ａ，２１０ｂが剥離可能に貼着された隠蔽はがき１，１０１，２０１を例に挙げて説明したが、本発明は、このように折り部を介して折り畳み可能に連接した２つの紙片部にさらに１つ以上の紙片部が折り部を介して折り畳み可能に連接したものを含むことは言うまでもない。その場合、連接する紙片部の数によっては、切り込みが折り部に形成されることになるが、２つの紙片部のみにおいては、その２つの紙片部が連接する折り部に対向する辺部から、その辺部に沿う方向に対して斜めの方向に延びた切り込みが、２つの紙片部が折り部を介して折り畳まれた場合に重なり合うように形成されていることになる。
【符号の説明】
【００６７】
１，１０１，２０１    隠蔽はがき
１０ａ，１０ｂ，１１０ａ，１１０ｂ，２１０ａ，２１０ｂ    紙片部
１１ａ，１１ｂ，１３，１１１ａ，１１１ｂ，１１２ａ，１１２ｂ，１１３，２１１ａ，２１１ｂ，２１２ａ，２１２ｂ，２１３    切り込み
１４，１１４，２１４    宛先情報
１５ａ，１５ｂ，１１５ａ，１１５ｂ，２１５ａ，２１５ｂ    通知情報
１８，１１８，２１８    折り領域
２０，１２０，２２０    感圧性接着剤
３０，１３０，２３０    折り部
１１６ａ，１１６ｂ，１１７ａ，１１７ｂ    タイ部
【図１】
2010162835.tif 000003
【図２】
2010162835.tif 000004
【図３】
2010162835.tif 000005
【図４】
2010162835.tif 000006
【図５】
2010162835.tif 000007
【図６】
2010162835.tif 000008
【図７】
2010162835.tif 000009